(57)【要約】【課題】本発明は、給湯リモコンと床暖房リモコンが共に無線リモコンの場合、１つの中継器で熱源機との給湯、暖房運転指示の通信を行い、システムの簡素化を図るものである。【解決手段】中継器５に無線床暖房リモコン３と無線給湯リモコン４の両方と通信可能な中継器無線通信手段１７を設け、無線床暖リモコンとの通信内容を業界統一の双方向通信プロトコルに変換し、無線給湯リモコン４との通信内容をメーカー独自の有線通信プロトコルに変換するデータ変換手段１７を設け、中継器１台で暖房制御と給湯風呂制御を可能にするものである。【選択図】  図１
2004353963.tif 000002
【特許請求の範囲】
【請求項１】
熱源機と、複数個の床暖用放熱パネルと、無線床暖房リモコンと、無線給湯リモコンと、中継器から構成された無線給湯暖房制御装置であって、前記無線床暖房リモコンには、前記中継器と無線通信を行うリモコン無線通信手段Ａと、暖房運転スイッチを備え、前記無線給湯リモコンには、前記中継器と無線通信を行うリモコン無線通信手段Ｂと、運転スイッチ及びお湯張りスイッチを備え、前記熱源機には、業界で統一された標準双方向通信プロトコルで前記中継器と有線通信を行う熱源有線通信手段Ａと、前記熱源有線通信手段Ａからの運転指示で床暖用放熱パネルに温水を循環する暖房制御手段と、メーカー独自の通信プロトコルで前記中継器と有線通信を行う熱源有線通信手段Ｂと、前記熱源有線通信手段Ｂからの運転指示で給湯燃焼及び風呂湯張り動作を制御する給湯風呂制御手段とを備え、前記中継器には、前記熱源有線通信手段Ａと標準双方向通信プロトコルで熱源機の暖房制御を行うとともに、熱源有線通信手段Ｂとメーカー独自の通信プロトコルで給湯風呂制御を行う中継器有線通信手段と、前記無線床暖房リモコンと無線給湯リモコンにメーカー独自の無線通信プロトコルで通信を行う中継器無線通信手段と、前記無線床暖リモコンとの通信内容を標準双方向通信プロトコルに変換するとともに、前記無線給湯リモコンとの通信内容をメーカー独自の有線通信プロトコルに変換するデータ変換手段を備えた無線給湯暖房制御装置。
【請求項２】
無線給湯リモコンに床暖房運転スイッチを備え、データ変換手段は無線給湯リモコンとの通信内容を標準双方向通信プロトコルに変換する機能を有する請求項１記載の無線給湯暖房制御装置。
【請求項３】
無線床暖房リモコンに湯張りスイッチを備え、データ変換手段は無線床暖房リモコンとの通信内容をメーカー独自の有線通信プロトコルに変換する機能を有する請求項１記載の無線給湯暖房制御装置。
【発明の詳細な説明】
【０００１】
【発明の属する技術分野】
本発明は、無線リモコンにより給湯、暖房運転を指示する給湯暖房制御装置に関するものである。
【０００２】
【従来の技術】
従来の無線給湯暖房制御システムは、無線床暖房リモコンからの指示を中継する専用の中継器と、無線給湯リモコンからの指示を中継する中継器をそれぞれ別々に設け、それぞれの中継器を介して熱源機に各リモコンからの指示を通信するというシステムが採られていた（例えば、特許文献１参照）。
【０００３】
【特許文献１】
特開２０００−１１１０６４号公報（第３−６頁、図２）
【０００４】
【発明が解決しようとする課題】
しかしながら上記従来の構成では、給湯・暖房システムを構成する場合、無線床暖房リモコンと無線給湯機リモコンで別々の中継器を設置する必要があり、高価なシステムとなってしまう。さらに２台の中継器を熱源機に接続する必要があり、施工面でも手間のかかるものとなっていた。
【０００５】
【課題を解決するための手段】
本発明は上記課題を解決するために、暖房制御用の無線床暖房リモコンと給湯風呂制御用の無線給湯リモコンの両方との無線通信が可能な中継器を設け、前記中継器の構成として、熱源有線通信手段Ａと標準双方向通信プロトコルで暖房制御を行うとともに、熱源有線通信手段Ｂとメーカー独自の通信プロトコルで給湯風呂制御を行う熱源機との通信用の中継器有線通信手段と、前記無線床暖房リモコンと無線給湯リモコンにメーカー独自の無線通信プロトコルで通信を行う中継器無線通信手段と、前記無線床暖リモコンとの通信内容を標準双方向通信プロトコルに変換するとともに、前記無線給湯リモコンとの通信内容をメーカー独自の有線通信プロトコルに変換するデータ変換手段を備えたものである。
【０００６】
上記発明によれば、１つの中継器で無線床暖リモコン及び無線給湯リモコンとの無線通信、さらに熱源機との有線通信を行うことができ、安価で省施工のシステムを提供するものである。
【０００７】
【発明の実施の形態】
請求項１記載の発明は、熱源機と、複数個の床暖用放熱パネルと、無線床暖房リモコンと、無線給湯リモコンと、中継器から構成された無線給湯暖房制御装置であって、前記無線床暖房リモコンには、前記中継器と無線通信を行うリモコン無線通信手段Ａと、暖房運転スイッチを備え、前記無線給湯リモコンには、前記中継器と無線通信を行うリモコン無線通信手段Ｂと、運転スイッチ及びお湯張りスイッチを備え、前記熱源機には、業界で統一された標準双方向通信プロトコルで前記中継器と有線通信を行う熱源有線通信手段Ａと、前記熱源有線通信手段Ａからの運転指示で床暖用放熱パネルに温水を循環する暖房制御手段と、メーカー独自の通信プロトコルで前記中継器と有線通信を行う熱源有線通信手段Ｂと、前記熱源有線通信手段Ｂからの運転指示で給湯燃焼及び風呂湯張り動作を制御する給湯風呂制御手段とを備え、前記中継器には、前記熱源有線通信手段Ａと標準双方向通信プロトコルで熱源機の暖房制御を行うとともに、熱源有線通信手段Ｂとメーカー独自の通信プロトコルで給湯風呂制御を行う中継器有線通信手段と、前記無線床暖房リモコンと無線給湯リモコンにメーカー独自の無線通信プロトコルで通信を行う中継器無線通信手段と、前記無線床暖リモコンとの通信内容を標準双方向通信プロトコルに変換するとともに、前記無線給湯リモコンとの通信内容をメーカー独自の有線通信プロトコルに変換するデータ変換手段を備えたことを特徴とするものであり、１つの中継器で床暖房制御と給湯風呂制御を可能とし、安価で施工性の良いシステムを提供するものである。
【０００８】
また、請求項２記載の発明は、無線給湯リモコンに床暖房運転スイッチを備え、データ変換手段は無線給湯リモコンとの通信内容を業界統一の標準双方向通信プロトコルに変換する機能を有するものである。
【０００９】
そして、台所や洗面所にある給湯リモコンから床暖房の運転の入り切りができ、利便性が向上する。
【００１０】
また、請求項３記載の発明は、無線床暖房リモコンに湯張りスイッチを備え、データ変換手段は無線床暖房リモコンとの通信内容をメーカー独自の有線通信プロトコルに変換する機能を有するものである。
【００１１】
そして、リビングルームにある床暖房リモコンからお湯はり運転を開始できるので利便性が向上する。
【００１２】
【実施例】
以下、本発明の実施例について図面を参照して説明する。
【００１３】
（実施例１）
図１は、本発明の実施例１における無線給湯暖房制御装置である。
【００１４】
図１において、まず床暖放熱パネルの制御方法について説明する。
１は熱源機、２はリビングルームやダイニングルームに敷設される床暖放熱パネルであり、３は無線床暖房リモコン、５は中継器である。無線床暖房リモコン３では暖房運転スイッチ９ａを操作すると、リモコン無線通信手段Ａ７に暖房運転要求が指示される。中継器５にある中継器無線通信手段１７は無線床暖房リモコン３のリモコン無線通信手段Ａ７から暖房運転要求信号を受け取り、データ変換手段１８に送る。データ変換手段１８は無線通信プロトコルを業界内で統一された標準双方向通信プロトコルに変換し中継器有線通信手段１６へデータを送る。有線通信手段１６は暖房制御用通信線１９を介して熱源有線通信手段Ａ１２にデータを送る。熱源有線通信手段Ａ１２は運転要求信号を暖房制御手段１３に送る。
【００１５】
暖房制御手段１３は該当する床暖放熱パネルの開閉部６を開け、温水を供給することで放熱パネルを暖め、暖房運転を行う。尚、熱源機１、無線床暖房リモコン３はそれぞれが出荷時から固有のＩＤコードを持っており、熱源機とリモコンは互いに相手のＩＤコードを認識して動作する。従って隣接するシステムがあっても誤動作するようなことはない。
【００１６】
次に、図１において湯はり制御について説明する。
【００１７】
４の無線給湯リモコンでお湯はりスイッチ１１ａを操作すると、リモコン無線通信手段Ｂ８にお湯はり運転要求が指示される。中継器５にある中継器無線通信手段１７は無線給湯リモコンのリモコン無線通信手段Ｂ８からお湯はり運転要求信号を受け取り、データ変換手段１８に送る。データ変換手段１８は無線通信プロトコルをメーカー独自の有線プロトコルに変換し中継器有線通信手段１６へデータを送る。有線通信手段１６は給湯風呂制御用通信線２０を介して熱源有線通信手段Ｂ１４にデータを送る。熱源有線通信手段Ｂ１４はお湯はり運転信号を給湯風呂制御手段１５に送る。給湯風呂制御手段１５はお湯はり弁２１を開け、浴槽２２にお湯はりを始める。
【００１８】
次に、図２を用いて動作を説明すると、無線床暖房リモコン３からの運転指示データ（ｓ１）を受け取った中継器５は、まず応答（ＡＣＫ）を無線床暖リモコン３に返し（ｓ２）、その後、熱源機１に対して信号線１９を用いて運転オン信号を送信する（ｓ３）。熱源機１は中継器５に応答（ＡＣＫ）を返し（ｓ５）、該当する系統の開閉部６をオンし暖房燃焼を始める（ｓ４）。
【００１９】
また、無線給湯リモコン４からのお湯はりオン指示データ（ｓ６）を受け取った中継器５は、まず応答（ＡＣＫ）を無線床暖リモコン３に返し（ｓ７）、その後、熱源機に対して信号線２０を用いてお湯はりオン信号を送信する（ｓ８）。熱源機１は中継器５に応答（ＡＣＫ）を返し（ｓ１０）、お湯はり弁２１をオンしお湯はりを開始する（ｓ４）。
【００２０】
以上のように暖房制御については、無線通信プロトコルを業界統一の標準双方向通信プロトコルに変換することで、他メーカーの熱源機とも組み合わせも可能な無線床暖房リモコンを供給し、給湯風呂制御については無線通信プロトコルをメーカー独自の通信プロトコルに変換することにより１つの中継器で、暖房と風呂給湯の両方の制御を可能とし、安価で施工性の良いシステムを提供するものである。
【００２１】
（実施例２）
次に、実施例２について説明する。図３は実施例２における制御ブロック図である。
【００２２】
無線給湯リモコン４には暖房運転スイッチ９ｂがあり、これを操作すると、リモコン無線通信手段Ｂ８に暖房運転要求が指示される。中継器５にある中継器無線通信手段１７は無線給湯リモコンのリモコン無線通信手段Ｂ８から暖房運転要求信号を受け取り、データ変換手段１８に送る。データ変換手段１８は無線通信プロトコルを標準双方向通信プロトコルに変換し、中継器有線通信手段１６へデータを送る。有線通信手段１６は暖房制御用通信線１９を介して熱源有線通信手段Ａ１２にデータを送る。熱源有線通信手段Ａ１２は運転要求信号を暖房制御手段１３に送る。暖房制御手段１３は該当する床暖放熱パネルの開閉部６を開け、温水を供給することで放熱パネルを暖め、暖房運転を行う。
【００２３】
図４は実施例２のデータフローチャートである。
【００２４】
無線給湯リモコン４からの暖房運転指示データ（ｓ１１）を受け取った中継器５は、まず応答（ＡＣＫ）を無線給湯リモコン４に返し（ｓ１２）、その後、熱源機に対して信号線１９を用いて暖房運転オン信号を送信する（ｓ１３）。熱源機１は中継器５に応答（ＡＣＫ）を返し（ｓ１５）、該当する系統の開閉部６をオンし暖房燃焼を始める（ｓ１４）。以上ような構成により、台所や洗面所にある給湯リモコンから床暖房の運転入り切りができ、利便性が向上する。
【００２５】
（実施例３）
次に、実施例３について説明する。実施例３の制御ブロック図は、上記実施例２と同様、図３に示す。
【００２６】
無線床暖房リモコン３に湯はりスイッチ１１ｂを設け、この湯はりスイッチ１１ｂを操作すると、リモコン無線通信手段Ａ７にお湯はり運転要求が指示される。中継器５にある中継器無線通信手段１７は無線床暖房リモコン３のリモコン無線通信手段Ａ７からお湯はり運転要求信号を受け取り、データ変換手段１８に送る。データ変換手段１８は無線通信プロトコルをメーカー独自の有線プロトコルに変換し、中継器有線通信手段１６へデータを送る。中継器有線通信手段１６は給湯風呂制御用通信線２０を介して熱源有線通信手段Ｂ１４にデータを送る。熱源有線通信手段Ｂ１４はお湯はり運転信号を給湯風呂制御手段１５に送る。給湯風呂制御手段１５はお湯はり弁２１を開け、浴槽２２にお湯はりを始める。
【００２７】
図５は実施例３のデータフローチャートである。
無線床暖房リモコン３からのお湯はりオン指示データ（ｓ１６）を受け取った中継器５は、まず応答（ＡＣＫ）を無線床暖房リモコン３に返し（ｓ１７）、その後、熱源機１に対して信号線２０を用いてお湯はりオン信号を送信する（ｓ１８）。熱源機１は中継器５に応答（ＡＣＫ）を返し（ｓ２０）、お湯はり弁２１をオンしお湯はりを開始する（ｓ１９）。
【００２８】
以上のような構成により、リビングルームにある床暖房リモコンから、台所や風呂場に行かずにお湯はり運転を開始できるので利便性が向上する。
【００２９】
【発明の効果】
以上の説明から明らかなように本発明による無線床暖房制御装置は、暖房制御については、無線通信プロトコルを業界統一の標準双方向通信プロトコルに変換することで、他メーカーの熱源機との組み合わせも可能な無線床暖房リモコンを提供し、給湯風呂制御については、無線通信プロトコルをメーカー独自の通信プロトコルに変換することにより、１つの中継器で暖房制御と風呂給湯制御の両方を可能とし、安価で施工性の良いシステムを提供するものである。
【図面の簡単な説明】
【図１】本発明の実施例１における無線給湯暖房制御装置のブロック図
【図２】同無線給湯暖房制御装置におけるデータフローチャート
【図３】本発明の実施例２における無線給湯暖房制御装置のブロック図
【図４】同無線給湯暖房制御装置におけるデータフローチャート
【図５】本発明の実施例３の無線給湯暖房制御装置におけるデータフローチャート
【符号の説明】
１  熱源機
２  床暖用放熱パネル
３  無線床暖房リモコン
４  無線給湯リモコン
５  中継器
６  開閉部
７  リモコン無線通信手段Ａ
８  リモコン無線通信手段Ｂ
９ａ、９ｂ  暖房運転スイッチ
１０  運転スイッチ
１１ａ、１１ｂ  お湯はりスイッチ
１２  熱源有線通信手段Ａ
１３  暖房制御手段
１４  熱源有線通信手段Ｂ
１５  給湯風呂制御手段
１６  中継器有線通信手段
１７  中継器無線通信手段
１８  データ変換手段
【図１】
2004353963.tif 000003
【図２】
2004353963.tif 000004
【図３】
2004353963.tif 000005
【図４】
2004353963.tif 000006
【図５】
2004353963.tif 000007